(57)【要約】【課題】  イベントの魅力を向上できるイベント用データ処理システムを提供する【解決手段】  カメラ(1)で撮影した撮影画像を撮影時の時刻情報とともに、ネットワークを介して送信して、データ処理装置(4)の撮影画像記録部(11)に記憶する。位置情報検出部(12)はこの撮影画像からラリーポイントの位置情報を検出して通過位置データベース(13)に記憶する。この位置情報は、比較部(16)で規定位置データベース(14)に記憶された 全てのラリーポイントの位置情報と比較される。この比較結果、位置情報検出部(12)で検出された位置情報を含む撮影画像の時刻情報、および、所定時間データベース(15)に記憶された目標時間に基づいて、撮影画像を含むイベントへの参加結果を示す合成画像の表示を制御して、パソコン(6)や携帯電話(7)へ表示させる。【選択図】図１
2009278161.tif 000002
【特許請求の範囲】
【請求項１】
画像を撮影するとともに、撮影された撮影画像を撮影時の時刻情報とともに記憶するカメラ付き携帯型情報処理装置と、該カメラ付き携帯情報処理装置とネットワークを介してイベントに関連する情報を通信可能なデータ処理装置とを備えたイベント用データ処理システムにおいて、
前記データ処理装置は、
前記カメラ付き携帯型情報処理装置から前記ネットワークを介して受信された前記撮影画像を撮影時の時刻情報とともに記憶する撮影画像記録部と、
前記撮影画像記録部に記録された前記撮影画像から、前記イベントにおいて予め定められた複数の所定の場所の１つを示す位置情報を検出する位置情報検出部と、
前記位置情報検出部で検出された前記位置情報を記憶する通過位置データベースと、
前記複数の所定の場所の全ての位置情報を記憶した規定位置データベースと、
前記複数の所定の場所を通過する時刻を評価する基準となる目標時間を記憶する所定時間データベースと、
前記規定位置データベースに記憶されている各位置情報と、前記通過位置データベースに記憶されている位置情報とを比較する比較部と、
前記比較部による比較結果、前記位置情報検出部で検出された位置情報を含む前記撮影画像の時刻情報、および、前記所定時間データベースに記憶された前記目標時間に基づいて、前記撮影画像を含む前記イベントへの参加結果を示す合成画像の表示を制御して、画像表示部へ表示させる画像表示制御部と
を備えたイベント用データ処理システム。
【請求項２】
前記データ処理装置は、前記イベントへの参加結果に応じた複数のキャラクタ画像を記憶した合成用画像記録部を有し、
前記画像表示制御部は、前記イベントへの参加結果に基づいて、前記合成用画像記録部から対応するキャラクタ画像を読み出して、前記画像表示部に表示するように前記合成画像の表示を制御することを特徴とする請求項１に記載のイベント用データ処理システム。
【請求項３】
前記画像表示部は、前記ネットワークを介して、前記データ処理装置と通信可能に接続し、前記画像表示制御部による前記合成画像を、前記ネットワークを介して前記画像表示部に表示することを特徴とする請求項１または２に記載のイベント用データ処理システム。
【請求項４】
前記カメラ付き携帯型情報処理装置は、前記イベントの参加中に撮影した撮影画像のシーンモード設定情報を、当該撮影画像および撮影時刻とともに前記ネットワークを介して前記データ処理装置に送信し、
前記データ処理装置は、前記シーンモード設定情報に基づいて、前記イベントへの参加結果を示す前記画像表示部への合成画像の表示を制御することを特徴とする請求項１、２または３に記載のイベント用データ処理システム。
【発明の詳細な説明】
【技術分野】
【０００１】
本発明は、イベント用データ処理システムに関するものである。
【背景技術】
【０００２】
従来、交通機関や観光地、イベントのキャンペーン等において、参加者が所定の複数場所の全て、または、その中のいくつかの場所を回り、それぞれの場所に設置されたスタンプを集めることを楽しむスタンプラリーやオリエンテーリングというゲームがある。
【０００３】
また、最近では、デジタルカメラ付きの携帯通信端末の普及に伴って、スタンプに代えて、所定の場所の被写体を撮影して画像データを蓄積し、所定枚数の画像データが揃い、アルバムデータが完成したら、そのアルバムデータをイベントの主催者側のサーバに送信して、主催者側においてゲーム参加者が適正に完走したか否かをチェックするようにしたゲームシステムも知られている（例えば、特許文献１参照）。さらに、携帯電話端末から位置情報とユーザＩＤをサーバに伝送し、携帯電話端末の所持者が所定の位置群を通過したか否かを自動的に判別するようにしたスタンプラリー方法も知られている（例えば、特許文献２参照）。
【０００４】
【特許文献１】特開２００５−２６７６８号公報
【特許文献２】特開２００２−３０６６６１号公報
【発明の開示】
【発明が解決しようとする課題】
【０００５】
しかし、上記のようなスタンプラリーやオリエンテーリングに情報機器や情報システムを適用した公知の例は、所定の場所で従来紙の上にスタンプを押していたものを、同じ位置で撮影した写真画像に置き換えるか、あるいは、スタンプを押す手数を省略させるものであって、スタンプラリーやオリエンテーリング等のイベントの思い出を後に残すための仕組みが提供されてこなかった。すなわち、これらのイベントにおける達成感や苦労などが、後に残る形で提供されず、このため、イベントとしての魅力度を十分高めることができなかった。
【０００６】
したがって、本発明の目的は、イベントの魅力を向上できるイベント用データ処理システムを提供するものことである。
【課題を解決するための手段】
【０００７】
上記目的を達成する請求項１に記載のイベント用データ処理システムの発明は、
画像を撮影するとともに、撮影された撮影画像を撮影時の時刻情報とともに記憶するカメラ付き携帯型情報処理装置と、該カメラ付き携帯情報処理装置とネットワークを介してイベントに関連する情報を通信可能なデータ処理装置とを備えたイベント用データ処理システムにおいて、
前記データ処理装置は、
前記カメラ付き携帯型情報処理装置から前記ネットワークを介して受信された前記撮影画像を撮影時の時刻情報とともに記憶する撮影画像記録部と、
前記撮影画像記録部に記録された前記撮影画像から、前記イベントにおいて予め定められた複数の所定の場所の１つを示す位置情報を検出する位置情報検出部と、
前記位置情報検出部で検出された前記位置情報を記憶する通過位置データベースと、
前記複数の所定の場所の全ての位置情報を記憶した規定位置データベースと、
前記複数の所定の場所を通過する時刻を評価する基準となる目標時間を記憶する所定時間データベースと、
前記規定位置データベースに記憶されている各位置情報と、前記通過位置データベースに記憶されている位置情報とを比較する比較部と、
前記比較部による比較結果、前記位置情報検出部で検出された位置情報を含む前記撮影画像の時刻情報、および、前記所定時間データベースに記憶された前記目標時間に基づいて、前記撮影画像を含む前記イベントへの参加結果を示す合成画像の表示を制御して、画像表示部へ表示させる画像表示制御部と
を備えたことを特徴とするものである。
【０００８】
請求項２に記載の発明は、請求項１に記載のイベント用データ処理システムにおいて、
前記データ処理装置は、前記イベントへの参加結果に応じた複数のキャラクタ画像を記憶した合成用画像記録部を有し、
前記画像表示制御部は、前記イベントへの参加結果に基づいて、前記合成用画像記録部から対応するキャラクタ画像を読み出して、前記画像表示部に表示するように前記合成画像の表示を制御することを特徴とするものである。
【０００９】
請求項３に記載の発明は、請求項１または２に記載のイベント用データ処理システムにおいて、
前記画像表示部は、前記ネットワークを介して、前記データ処理装置と通信可能に接続し、前記画像表示制御部による前記合成画像を前記ネットワークを介して前記画像表示部に表示することを特徴とするものである。
【００１０】
請求項４に記載の発明は、請求項１、２または３に記載のイベント用データ処理システムにおいて、
前記カメラ付き携帯型情報処理装置は、前記イベントの参加中に撮影した撮影画像のシーンモード設定情報を、当該撮影画像および撮影時刻とともに前記ネットワークを介して前記データ処理装置に送信し、
前記データ処理装置は、前記シーンモード設定情報に基づいて、前記イベントへの参加結果を示す前記画像表示部への合成画像の表示を制御することを特徴とするものである。
【発明の効果】
【００１１】
本発明によれば、カメラ付き携帯型情報処理装置からネットワークを介して、データ処理装置に撮影画像と撮影時刻とを送信し、データ処理装置において撮影画像から位置情報を検出し、その検出した撮影画像の位置情報と予め設定された所定の場所の位置情報との比較結果、撮影画像の時刻情報、および、予め定めた目標時間に基づいて、画像表示部への撮影画像を含むイベントへの参加結果を示す合成画像の表示を制御するようにしたので、スタンプラリーやオリエンテーリング等の所定の複数の場所（ラリーポイント）を所定の順序で移動するイベントにおいて、途中の経過情報や撮影画像を合成画像として表示することにができ、これにより、参加者に対してそのイベントでの「楽しみ」や「苦労」などを想起させる「思い出画像」を提供でき、イベントの魅力を向上させることができる。
【発明を実施するための最良の形態】
【００１２】
以下、本発明の実施の形態について、図を参照して説明する。
【００１３】
（第１実施の形態）
図１は、本発明の第１実施の形態に係るイベント用データ処理システムの概略構成を示すブロック図である。本実施の形態に係るイベント用データ処理システムは、イベント参加者が携帯するカメラ付き携帯型情報処理装置である無線通信手段を備えたカメラ１、予め定められた所定の複数の場所（以下「ラリーポイント」と呼ぶ）にイベント主催者によって設置された位置情報を含むバーコード２、無線通信サービスを提供するホットスポットの基地局３、この基地局３およびネットワーク４を経由してカメラ１と通信可能なデータ処理装置５を含んで構成される。この、データ処理装置５は、ネットワーク４を介して、画像表示部を有するパソコン６または携帯電話７と通信可能である。
【００１４】
カメラ１は、時計機能を備えており撮影画像と撮影時の時刻情報とを関連付けて記憶することができる。さらに、カメラ１には、レストラン、風景、人物等の切り替えて設定することが可能な複数のシーンモードが用意されている。この設定されたシーンモードを示すシーンモード設定情報も、撮影画像と関連付けられて記憶される。従って、カメラ１で撮影した画像は、時刻情報およびシーンモード設定情報と関連付けられて、カメラ内に記憶される。
【００１５】
このような構成により、イベント参加者はカメラ１を携帯し、各ラリーポイントにおいて、表示板に掲示されたバーコード２を背景画像とともに撮影する。また、イベント参加者は決められたラリーポイントだけではなく、任意の位置で撮影を行うこともできる。
【００１６】
イベント参加者は、例えば、全てのラリーポイントを通過したと認識したときは、例えば、イベント主催者が設けたホットスポットにおいて、カメラ１に記憶した撮影画像を時刻情報およびシーンモード設定情報とともに、基地局３およびネットワーク４を介してイベント用のデータ処理装置５に送信する。
【００１７】
データ処理装置５は、カメラ１から受信した撮影画像を撮影時の時刻情報とともに記憶する撮影画像記録部１１と、この記録された撮影画像から、当該イベントにおいて予め定められた複数の所定の場所の１つを示す位置情報を検出する位置情報検出部１２と、この検出された位置情報を記憶する通過位置データベース１３と、複数の所定の場所の全ての位置情報を記憶した規定位置データベース１４と、複数の所定の場所を通過する時刻を評価する基準となる目標時間を記憶する所定時間データベース１５と、規定位置データベース１４に記憶されている各位置情報と、通過位置データベース１３に記憶されている位置情報とを比較する比較部１６と、この比較結果、位置情報検出部１２で検出された位置情報を含む撮影画像の時刻情報、および、所定時間データベース１５に記憶された目標時間に基づいて、撮影画像を含むイベントへの参加結果を示す合成画像の表示を制御して、パソコン６や携帯電話７へ表示させる画像表示制御部１７とを備える。また、データ処理装置５は、当該イベントへの参加結果に応じた複数のキャラクタ画像を記憶した合成用画像記録部１８を備える。
【００１８】
このデータ処理装置５は、後述する処理を行い合成画像を生成し、イベント参加者の要求によって、ネットワーク４を経由してイベント参加者のパソコン６または携帯電話７に送信し、このパソコン６または携帯電話７のディスプレイに表示させる。合成画像をパソコン６に表示した場合は、イベント参加者は、必要に応じて、パソコン６に接続された図示しないプリンタにより合成画像を印刷することもできる。
【００１９】
この合成画像は、イベント参加者が撮影した撮影画像、および、イベントでの成績を反映したキャラクタ画像等を含み、これらの画像の配置を工夫することによって、趣向を凝らしたイベントをイベント参加者が楽しむことができ、かつ、記念に残るものとすることができる。
【００２０】
次に、イベントルールの一例について、図２に示すフローチャートを参照して説明する。まず、イベント参加者は、イベントの開始地点に集合し、主催者の指示に従ってイベント参加を開始する。イベント参加者は所定の複数のラリーポイントを順次目指し、ラリーポイントに到着すると（ステップＳ１）、そのラリーポイントに設置されているバーコード２を撮影する（ステップＳ２）。なお、このバーコード２とともに、人物や背景を撮影するようにしても良い。また、ラリーポイント以外の場所で撮影を行っても良い。なお、以下において、ラリーポイントで撮影される画像をラリーポイント画像とも呼び、ラリーポイント以外で撮影される画像を非ラリーポイント画像とも呼ぶ。このようにして、複数のラリーポイントを経由して全てのラリーポイントのバーコード２の撮影が終わったと認識すると（ステップＳ３）、イベント参加者は、ホットスポットにおいて（ステップＳ４）、撮影した全ての画像を基地局３およびネットワーク４を介してデータ処理装置５に送信する（ステップＳ５）。その後、イベント参加者は、パソコン６または携帯電話７によりネットワーク４を介してデータ処理装置５から合成画像を受信して表示し、必要に応じてプリントアウトする（ステップ６）。
【００２１】
図３は、図２に示したステップＳ２において、イベント参加者によるラリーポイントでの撮影シーンを示すイメージ図である。このイメージ図では、バーコード２は、屋外に設置された立て看板に掲示されている。イベント参加者は、カメラ１を用いて、指定された位置で撮影を行うが、カメラ背面の液晶パネルなどの表示パネル１ａを見ながら、レリーズスイッチ１ｂを押下することにより撮影操作を行う。この時、シーンモードはシーンモード設定スイッチ１ｃで設定する。撮影した時刻情報を記録するために、このカメラ１には時計機能が内蔵されている。前述のようにバーコード２は、位置情報を含んでおり、後にデータ処理装置５でこのバーコードを解析することによって、撮影が行われたラリーポイントを識別することができる。
【００２２】
図４は、データ処理装置５の動作を示すフローチャートである。この図４と図１とを参照して、データ処理装置５における処理のフローを説明する。
【００２３】
まず、データ処理装置５は、ホットスポットの基地局３およびネットワーク４を経由して、イベント参加者が送信した入力情報を受信する（ステップＳ１１）。この入力情報には撮影画像、撮影時刻を示す時刻情報およびシーンモード設定情報が含まれる。この入力情報は、撮影画像記録部１１に記録される。次に、位置情報検出部１２により、撮影画像記録部に記録された撮影画像がバーコード２を含むラリーポイント画像か、バーコード２を含まない非ラリーポイント画像かを識別する。そして、ラリーポイント画像の場合は、バーコード２を解析して、撮影を行った各ラリーポイントの位置情報を特定する（ステップＳ１２）。
【００２４】
次に、撮影を行った各ラリーポイントの位置情報は通過位置データベース１３に記憶される。その後、比較部１６が、通過位置データベース１３に記憶されたラリーポイントの位置情報と、規定位置データベース１４に含まれる位置情報とを比較し、イベント参加者が所定のラリーポイントの全てで撮影を行ったか否かを判定する（ステップＳ１３）。
【００２５】
参加者が所定のラリーポイントの全てで撮影を行ったと判定された場合は、処理は画像表示制御部１７に移る。ここで、各ラリーポイント画像に対応する時刻情報から、イベント参加者が通過した経路、および、通過した順次のラリーポイント間の所要時間が導出される。画像表示制御部１７は、この経路が所定の経路と同じか判定を行うとともに、上記所要時間を、所定時間データベース１５に記憶されたラリーポイント間ごとの移動に係る目標時間と比較し、移動に係る時間が所定の目標時間内か判定を行う（ステップＳ１４）。
【００２６】
以上の判定結果に応じて、合成用画像記録部１８から、合成用のキャラクタ画像が選択され、呼び出される（ステップＳ１５）。キャラクタ画像は、イベント参加者の達成度や困難度を象徴する顔の表情等を含む画像であって、合成用画像記録部１８に複数種類用意されている。
【００２７】
画像表示制御部１７は、本実施の形態では、撮影画像、時刻情報、所定時間データベースに規定された目標時間、ステップＳ１４による判定結果、ステップＳ１５で呼び出したキャラクタ画像を使用して、合成画像の生成を行う（ステップＳ１６）。画像表示制御部１７で生成された合成画像は、イベント参加者からの要求によりパソコン６または携帯電話７へ送信される。
【００２８】
また、上記ステップＳ１３において、所定のラリーポイントの中に通過していないラリーポイントがある場合は、画像表示制御部１７は、ステップＳ１４の経路・所要時間の判定を行わず、比較部１６は画像表示制御部１７に全ての画像が揃っていない旨を通知し、ステップＳ１５のキャラクタ画像の選択読み出し、そして、ステップＳ１６の合成画像の生成に進む。
【００２９】
図５は、本実施の形態による複数の撮影画像から合成画像を生成する説明図である。ここでは７箇所のラリーポイントが用意されるものとする。イベント参加者が全てのラリーポイントを回っていれば、画像表示制御部１７は、図５（ａ）に示すように撮影画像記録部１１から７枚の撮影画像を時刻情報とともに取得する。また、合成用画像記録部１８には、キャラクタ画像として、図５（ｂ）に示した２種類の合成用画像１および合成用画像２を記憶しておくものとする。合成用画像１は、達成感を象徴した楽しい表情の顔の下に、「たいへんよくできました」という文字が示されており、合成用画像２は、難しさを象徴した悲しい表情の下に、「少し時間がかかりました」という文字が示されている。
【００３０】
ここで、比較部１６でイベント参加者が全てのラリーポイントを通過したものと判断され、かつ、全ての経路上のラリーポイント間を所定時間データベース１５の目標時間以内に通過した場合は、楽しい表情の合成用画像１が選択され、目標時間内に通過できないラリーポイントがあった場合は、悲しい表情の合成用画像２が選択される。
【００３１】
画像表示制御部１７は、上記の図５（ａ）と図５（ｂ）との画像を合成して、図５（ｃ）に示す合成画像を生成する。図５（ｃ）では、キャラクタ画像が中央下に配置され、イベント参加者が、実際にラリーポイントを回った順序に従って、左下から右下へ時計周りに、キャラクタ画像を取り囲むようにラリーポイント画像を配置する。この図では、イベント参加者は、全てのラリーポイントを目標時間内に通過したものとして、合成用画像１を配置しているが、所定時間内にラリーポイントに到達できなかった場合は、合成用画像２を表示する。また、上記では、全てのラリーポイント間を目標時間内に通過したときに合成用画像１が表示されるとしたが、全てのラリーポイントを回り終えるまでの時間の合計が、目標時間の合計よりも小さければ、合成用画像１を出すようにしても良い。
【００３２】
また、全てのラリーポイントを回ることができず、画像を撮影できなかったラリーポイントがある場合は、さらに別のキャラクタ画像を表示したり、キャラクタ画像の大きさを変えたりすることで、全てのラリーポイントを経由した場合の表示と異ならせることもできる。
【００３３】
以上のように、本発明の第１実施の形態では、イベント参加者に、撮影した順序に従って配置した撮影画像とともに、イベントでの達成度や困難度を示すキャラクタを同時に表示した合成画像を提供するようにしたので、参加者に対してそのイベントでの「楽しみ」や「苦労」などを想起させる「思い出画像」を提供でき、イベントの魅力を向上させることができる。
【００３４】
（第２実施の形態）
図６は、本発明の第２実施の形態による合成画像の生成処理を説明するための図である。本実施の形態では、合成画像表示領域にラリーポイントを含む概略地図を表示し、この概略地図上のラリーポイントに対応する位置に撮影画像を表示するとともに、イベント参加者が通過した経路を矢印で表示し、さらに、達成度または困難度を象徴するキャラクタ画像を合成画像表示領域の左下に表示して合成画像を生成する。このため、本実施の形態では、合成用画像記録部１８に、地図情報をさらに記憶しておく。なお、本実施の形態ではキャラクタ画像として、合成用画像記録部１８には、「たいへんよくできました」、「ルートが間違っています」、「未完です」の３種類の結果を示す３種類のキャラクタ画像を記憶しておく。その他の構成および動作は第１実施の形態と同様である。以下に、図６（ａ）〜（ｃ）が示すそれぞれの場合について説明する。
【００３５】
図６（ａ）は、全てのラリーポイントを所定の経路どおりに、かつ、所定の目標時間内で通過した例である。本実施の形態では、第１実施の形態とは異なり、画像表示制御部１７は、地図上のラリーポイントの位置に撮影画像を配置し、ラリーポイント間には経路情報に基づいて矢印を表示している。キャラクタ画像の選択方法は、第１実施の形態と同様である。この場合は、「よくできました」という意味の楽しい表情のキャラクタ画像が表示され、短時間でスムーズにラリーポイントを回れたことが示されている。
【００３６】
図６（ｂ）は、全てのラリーポイントを通過したが、経路を誤った場合の例である。キャラクタ画像は、「残念でした」という意味の悲しい表情の顔の画像が表示される。また、誤った経路は、撮影画像間に正常な場合とは異なる色の矢印、例えば赤色の矢印を配置することで表示する。
【００３７】
図６（ｃ）は、ラリーポイントの全てを通過できなかった場合の例である。前述のように、全てのラリーポイントでの撮影が行われていないとき（図４のステップＳ１３）、画像表示制御部１７はその旨の通知を受け、合成用画像記録部１８から、未完成を示す悲しい顔のキャラクタ画像を選択して表示する。また、画像表示制御部１７は、通過することができたラリーポイントの撮影画像のみを表示する。
【００３８】
本実施の形態では、地図上に通過したラリーポイント画像を配置したので、イベントにおける経路を撮影画像とともにイベント参加者に提供することができ、さらに、経路を誤った場合は、正常な場合と異なる色の矢印を表示することで、イベントにおける失敗も知らせることができる。
【００３９】
（第３実施の形態）
図７は、本発明の第３実施の形態による合成画像の生成処理を説明するための図である。本実施の形態は、第２実施の形態において、撮影画像に代えて、ラリーポイントごとに主催者によってあらかじめ用意された特別なスタンプ画像を表示する。このため、合成用画像記録部１８には、各ラリーポイントに対応するスタンプ画像を予め記憶し、イベント参加者が通過したラリーポイントの撮影画像に対応するラリーポイントのスタンプ画像を読み出して、地図上の位置に表示する。なお、図７はイベントへの参加が、正しい経路で終了した場合の例であるが、ルートを間違えた場合や、未完成の場合も、通過したラリーポイントについては、あらかじめ用意したスタンプ画像を表示して合成画像を生成する。
【００４０】
このように、特別なスタンプ画像を表示することで、イベント参加者は、達成感を得るとともに、特別な画像を楽しむことができる。
【００４１】
（第４実施の形態）
図８は、本発明の第４実施の形態による合成画像の生成処理を説明するための図である。本実施の形態は、第１実施の形態において、イベント参加者から送信された撮影画像の中に、非ラリーポイント画像がある場合は、その非ラリーポイント画像も表示して合成画像を生成する。また、ラリーポイント画像は、通過した順序に従い左から右に表示するが、図４のステップ１４において、順次のラリーポイント間の所要時間が所定時間データベースに記憶された目標時間を上回ると判断される場合は、その次のラリーポイント画像を当該ラリーポイント画像から超過時間に応じた段数だけ下げて表示する。また、非ラリーポイント画像は、直前に通過したラリーポイント画像の下に表示する。
【００４２】
データ処理装置５は、第１実施の形態の情報処理に加え、非ラリーポイント画像がある場合は、シーンモード設定情報を利用した処理を行う。具体的には、図４のステップＳ１４において、所要時間が目標時間を越えていても、ラリーポイント画像と次のラリーポイント画像との間に、非ラリーポイント画像が含まれている場合は、その枚数やシーンモード設定に応じて、目標時間より長い時間を基準としてステップＳ１４の判定を行う。
【００４３】
例えば、あるラリーポイント画像とその次のラリーポイント画像との間に、シーンモードがレストランである非ラリーポイント画像がある場合は、イベント参加者は食事を楽しんだと考えられるため、画像表示制御部１７は目標時間を例えば１時間延長する。この１時間延長された目標時間を越えなければ、当該ラリーポイント間の移動は正常であったと判断する。
【００４４】
図８（ａ）は、ラリーポイント画像と次のラリーポイント画像との間に、非ラリーポイント画像が含まれる場合の、合成画像の生成処理を説明する図である。この図では、３番目および５番目のラリーポイント画像の下に、非ラリーポイント画像が表示され、これら３番目および５番目のラリーポイントからそれぞれ次のラリーポイントに到着するまでの目標時間が延長されている。このため、これらの各ラリーポイントから次のラリーポイントまでの所要時間が、所定時間データベース１５に予め記憶された目標時間を越えたとしても、この延長された目標時間内であれば、移動は正常であったと判断され、スムーズにラリーポイントを回れたものとして、左下に笑顔の表情のキャラクタ画像を表示する。
【００４５】
一方、図８（ｂ）は、図８（ａ）と同じ経路を回ったが、非ラリーポイント画像がない場合の合成画像の生成処理を説明する図である。この例では、３番目及び５番目のラリーポイントから各次のラリーポイントへの所要時間は、所定時間データベース１５に記憶された目標時間を上回るが、非ラリーポイント画像が無いため、道に迷うなどして余分な時間がかかったものと判断され、目標時間を上回った区間では、超過時間に応じた段数だけ撮影画像の位置を下げて表示する。また、左下には、困難であったことを示す悲しい表情のキャラクタ画像を表示する。
【００４６】
このように、非ラリーポイント画像を表示することによって、イベント参加者に、イベント途中での食事や買い物などの画像も提供することができるとともに、ラリーポイントから次のラリーポイントまでの所要時間が目標時間を上回っても、この非ラリーポイント画像の存在により、食事や買い物のために余分にかかった時間が考慮されるので、より適切なキャラクタ画像を表示することができる。
【００４７】
（第５実施の形態）
図９は、本発明の第５実施の形態による合成画像の生成処理を説明するための図である。本実施の形態は、第１実施の形態に示した画像処理制御部１７において、撮影結果を含む当該イベントへの参加結果を示す合成画像を、各撮影画像とキャラクタ画像とを組み合わせて、１枚ずつスライドショー形式で表示するように、パソコン６や携帯電話７等の画像表示部への画像表示を制御する。
【００４８】
図９（ａ）は、ラリーポイントをスムーズに回れた場合の合成画像の表示態様を示す図である。この場合は、画像表示制御部１７は、各ラリーポイント画像を画像表示部に左から順に表示し、最後に「よくできました」という意味の笑顔の表情のキャラクタ画像を表示するように制御する。
【００４９】
図９（ｂ）は、３番目のラリーポイントを出発し４番目のラリーポイントに到着するまでの所要時間が目標時間を越えている場合の表示態様を示す図である。この場合は、画像表示制御部１７は、３番目のラリーポイント画像と４番目のラリーポイント画像との間に、目標時間を超過した時間に応じて、悲しい表情のキャラクタ画像を挿入して、画像表示部に左から順に各画像をスライドショー形式で表示する。
【００５０】
このように、本実施の形態では、撮影結果を含む当該イベントへの参加結果を示す合成画像を、各撮影画像とキャラクタ画像とを組み合わせて、１枚ずつスライドショー形式で表示するようにしたので、特に、携帯電話７のように画像表示部の面積が小さい端末の場合には、個々の合成画像を見やすく表示することができるので適している。さらに、通過経過とその結果が順次表示されるので、イベント参加者はこれら通過経過と結果を時系列にわかるという楽しみを得ることができる。
【００５１】
なお、本発明は、上記実施の形態にのみ限定されるものではなく、幾多の変形または変更が可能である。ラリーポイントの位置を特定するためにバーコードを使用したが、バーコードは、２次元バーコードとしても良い。また、バーコードを用いずに、データ処理装置が、各ラリーポイントで撮影される風景画像の特徴を記憶し、その特徴との照合によって該当するラリーポイントを特定するような方式であっても良い。
【００５２】
また、合成画像を表示する画像表示部は、パソコンや携帯電話に限らず、ネットワーク対応のビューワやＰＤＡであっても良い。また、イベント主催者側において、データ処理装置５で生成される合成画像をプリントアウトして、イベント参加者に郵送するようにしても良い。さらに、ホットスポットに設置した端末で合成画像を即座に表示し、表示された画像をプリントアウトするようにしても良い。
【００５３】
また、第５実施の形態では、スライドショー形式で合成画像を表示するようにしたが、縦または横方向にスクロールする形態で表示しても良い。
【００５４】
さらに、図１に示した所定時間データベース１５に記憶する目標時間は、あらかじめ時間を定めるのではなく、イベント参加者が撮影画像とともに送信した時刻情報に基づいて、実際にイベント参加者が各ラリーポイント間を通過するために要した時間の平均値あるいは分布を算出して、その算出した値を基に設定しても良い。
【図面の簡単な説明】
【００５５】
【図１】本発明の第１実施の形態に係るイベント用データ処理システムの概略構成を示すブロック図である。
【図２】イベントルールの一例を示すフローチャートである。
【図３】イベント参加者によるラリーポイントでの撮影シーンを示すイメージ図である。
【図４】データ処理装置の動作を示すフローチャートである
【図５】複数の撮影画像から合成画像を生成する説明図である。
【図６】本発明の第２実施の形態による合成画像の生成処理を説明するための図である。
【図７】本発明の第３実施の形態による合成画像の生成処理を説明するための図である。
【図８】本発明の第４実施の形態による合成画像の生成処理を説明するための図である。。
【図９】本発明の第５実施の形態による合成画像の生成処理を説明するための図である。
【符号の説明】
【００５６】
１  カメラ
１ａ  表示パネル
１ｂ  レリーズスイッチ
１ｃ  シーンモード設定スイッチ
２  バーコード
３  基地局
４  ネットワーク
５  データ処理装置
６  パソコン
７  携帯電話
１１  撮影画像記録部
１２  位置情報検出部
１３  通過位置データベース
１４  規定位置データベース
１５  所定時間データベース
１６  比較部
１７  画像表示制御部
１８  合成用画像記録部
【図１】
2009278161.tif 000003
【図２】
2009278161.tif 000004
【図３】
2009278161.tif 000005
【図４】
2009278161.tif 000006
【図５】
2009278161.tif 000007
【図６】
2009278161.tif 000008
【図７】
2009278161.tif 000009
【図８】
2009278161.tif 000010
【図９】
2009278161.tif 000011